(57)【要約】      （修正有）【課題】貼着シート上に定着させた粒状の装飾材の間に存在している隙間に起因する見栄えの悪さを回避できる装飾シートを提供する。【解決手段】下面が平坦で、且つ、上部２２が多面体状の立体形状に形成された粒状の装飾材２０をシート状のベース部１１の上面に多数敷き詰めて定着し、前記ベース部１１の下面に設けた粘着層１２を介して被装飾体の表面に貼着可能な装飾シートにおいて、前記ベース部１１を半透明シート又は不透明シートにする。【選択図】図３
0003146167.tif 000002
【実用新案登録請求の範囲】
【請求項１】
下面が平坦で、且つ、上部が多面体状の立体形状に形成された粒状の装飾材をシート状のベース部の上面に多数敷き詰めて定着し、前記ベース部の下面に設けた粘着層を介して被装飾体の表面に貼着可能な装飾シートにおいて、前記ベース部を半透明シート又は不透明シートにすることを特徴とする装飾シート。
【請求項２】
不透明シートを白色、有彩色又はフォノグラムにすることを特徴とする請求項１記載の装飾シート。
【請求項３】
ベース部の上面に粒状の装飾材を幾何学模様又は非幾何学模様に敷き詰めて定着することを特徴とする請求項１記載の装飾シート。
【請求項４】
粒状の装飾材の下面に金属性の光沢を有する反射面を設けたことを特徴とする請求項１又は３記載の装飾シート。
【請求項５】
下面が平坦で、且つ、上部が多面体状の立体形状に形成された粒状の装飾材をシート状の透明なベース部の上面に多数敷き詰めて定着し、前記ベース部の下面に設けた粘着層を介して被装飾体の表面に貼着可能な装飾シートにおいて、前記ベース部と粘着層との間に金属性の光沢を有する無数の小片からなるフォノグラム層を介在させたことを特徴とする装飾シート。
【請求項６】
無数の小片を格子状に配してフォノグラム層を形成してなる請求項５記載の装飾シート。
【請求項７】
透明な装飾材と表面にメッキを施した装飾材とをベース部の上面に幾何学模様又は非幾何学模様に敷き詰めて定着することを特徴とする請求項５記載の装飾シート。
【考案の詳細な説明】
【技術分野】
【０００１】
本考案は、携帯電話や携帯端末器などの被装飾体の表面に貼着して被装飾体の表面を装飾する装飾シートに関するものである。
【背景技術】
【０００２】
下面が平坦で、且つ、上部が多面体状の立体形状に形成され、必要に応じて着色された透明な合成樹脂製の粒状の装飾材を、下面に粘着層が形成された透明シートの上面に多数敷き詰めて定着し、更に、下面の粘着層を剥離可能な剥離シートで保護した所謂デコレーションシールと称される装飾シールは、携帯電話や携帯端末器などの被装飾体の表面を、簡便、且つ、手軽に装飾できるものとして、近年、女性や若者の間で広く愛用されている。
【０００３】
この装飾シートは、いろいろな色や形、大きさに形成された多数の粒状の装飾材を適宜に敷き詰めて形成されたシート状の装飾手段であり、所望のデザインやサイズにカットして被装飾体に貼着することにより、被装飾体に所望の装飾を簡便、かつ、手軽に施すことができる。この装飾シートは、被装飾体に対して、貼着、剥離を繰り返して行うことができ、装飾シートを、適宜、張り替えて携帯電話などの被装飾体表面の装飾の変更が可能である。
【０００４】
ところで、貼着シート上に定着させた粒状の装飾材の間には、若干の隙間が存在しているから、従来のように、貼着シートが透明な場合は、粒状の装飾材の隙間から携帯電話などの被装飾体の外側表面が透けて見えることから、見栄えが損なわれるという問題があった。
【考案の開示】
【考案が解決しようとする課題】
【０００５】
本考案は、上記のような問題を解消するためになされたものであり、その目的とするところは、貼着シート上に定着させた粒状の装飾材の間に存在している隙間に起因する見栄えの悪さを回避できる装飾シートを提供することにある。
【課題を解決するための手段】
【０００６】
本願の請求項１に係る装飾シートは、下面が平坦で、且つ、上部が多面体状の立体形状に形成された粒状の装飾材をシート状のベース部の上面に多数敷き詰めて定着し、前記ベース部の下面に設けた粘着層を介して被装飾体の表面に貼着可能な装飾シートにおいて、前記ベース部を半透明シート又は不透明シートにすることを特徴としている。
【０００７】
本願の請求項２に係る装飾シートは、請求項１において、不透明シートを白色、有彩色又はフォノグラムにすることを特徴としている。
【０００８】
本願の請求項３に係る装飾シートは、請求項１において、ベース部の上面に粒状の装飾材を幾何学模様又は非幾何学模様に敷き詰めて定着することを特徴としている。
【０００９】
本願の請求項４に係る装飾シートは、請求項１又は３において、粒状の装飾材の下面に金属性の光沢を有する反射面を設けたことを特徴としている。
【００１０】
本願の請求項５に係る装飾シートは、下面が平坦で、且つ、上部が多面体状の立体形状に形成された粒状の装飾材をシート状の透明なベース部の上面に多数敷き詰めて定着し、前記ベース部の下面に設けた粘着層を介して被装飾体の表面に貼着可能な装飾シートにおいて、前記ベース部と粘着層との間に金属性の光沢を有する無数の小片からなるフォノグラム層を介在させたことを特徴としている。
【００１１】
本願の請求項６に係る装飾シートは、請求項５において、無数の小片を格子状に配してフォノグラム層を形成することを特徴としている。
【００１２】
本願の請求項７に係る装飾シートは、請求項５において、透明な装飾材と表面にメッキを施した装飾材とをベース部の上面に幾何学模様又は非幾何学模様に敷き詰めて定着することを特徴としている。
【考案の効果】
【００１３】
本願の請求項１に係る考案は、下面が平坦で、且つ、上部が多面体状の立体形状に形成された粒状の装飾材をシート状のベース部の上面に多数敷き詰めて定着し、前記ベース部の下面に設けた粘着層を介して被装飾体の表面に貼着可能な装飾シートにおいて、前記ベース部を半透明シート又は不透明シートにするので、ベース部の上面に敷き詰めた粒状の装飾材の隙間から携帯電話などの被装飾体の外側表面が透けて見えることもなく、装飾シートの見栄えが損なわれるような事態も解消することが可能になった。
【００１４】
また、ベース部が不透明シートの場合は、不透明シートを白色、有彩色又はフォノグラムとしたり、或いは、粒状の装飾材の下面に金属性の光沢を有する反射面とすることにより、光線の反射率が向上することから、装飾シートの見栄えが、より一層、向上するようになった。
【００１５】
本願の請求項５に係る考案は、下面が平坦で、且つ、上部が多面体状の立体形状に形成された粒状の装飾材をシート状の透明なベース部の上面に多数敷き詰めて定着し、前記ベース部の下面に設けた粘着層を介して被装飾体の表面に貼着可能な装飾シートにおいて、前記ベース部と粘着層との間に金属性の光沢を有する無数の小片からなるフォノグラム層を介在させたので、透明なベース部の上面に敷き詰めた粒状の装飾材の隙間が金属性の光沢を帯びた虹色に輝き、装飾シートの見栄えが格段に向上するようになった。
【００１６】
その際、透明な装飾材と表面にメッキを施した装飾材とをベース部の上面に幾何学模様又は非幾何学模様に敷き詰めて定着することにより、透明な装飾材による光線の屈折と、表面にメッキを施した装飾材による光線の反射により、一層、豪華なものになった。
【考案を実施するための最良の形態】
【００１７】
以下、本考案の実施の形態を図面を用いて説明する。
（Ａ）実施の形態１
図１に示すように、本考案に係る第１の装飾シート１０は、シート状のベース部１１の上面に粒状の装飾材２０が幾何学模様、例えば、ベース部１１の左上から右下に至る斜めの縞柄の模様に定着されている。しかし、所望により花柄などの非幾何学模様に定着することもできる。
【００１８】
ベース部１１は、半透明の熱可塑性合成樹脂でシート状に形成され、図３に示すように、その上面に粒状の装飾材２０が接着剤１４によって固着されている。粒状の装飾材２０は、無色又は有色の透明なガラス又は熱可塑性合成樹脂によって所望の形状及びサイズに形成される。図１において、白丸は無色透明の粒状の装飾材２０ａを示し、黒丸は有色透明の粒状の装飾材２０ｂを示している。
【００１９】
図２及び図３から分かるように、粒状の装飾材２０は、下面が平坦で、且つ、上部が多面体状の立体形状、すなわち、下部２１が円板状、上部２２が裁頭六角錐状に形成されている。その上、粒状の装飾材２０の下面には、金属製の反射板２３が固着されている。尚、装飾材２０の下面には、金属製の反射板２３の代わりにメッキを施して反射面とすると良い。
【００２０】
更に、図３に示すように、ベース部１１の下面に粘着層１２が設けられている。この粘着層１２は、剥離可能な剥離シート１３によって保護されている。
【００２１】
（Ｂ）実施の形態２
図４に示すように、本考案に係る第２の装飾シート３０は、シート状のベース部３１の上面に粒状の装飾材４０が幾何学模様、例えば、ベース部３１の左上から右下に至る斜めの縞柄の模様に定着されている。しかし、所望により花柄などの非幾何学模様に定着することもできる。
【００２２】
ベース部３１は、透明な熱可塑性合成樹脂でシート状に形成され、図６に示すように、その上面に粒状の装飾材４０が接着剤３４によって固着されている。粒状の装飾材４０は、無色又は有色の透明なガラス又は熱可塑性合成樹脂によって所望の形状及びサイズに形成されるが、その一部は、その表面に金又は銀メッキが施される。図４において、白丸は無色透明な粒状の装飾材４０ａを示し、黒丸は外表面にメッキを施した粒状の装飾材４０ｂを示している。
【００２３】
図５及び図６から分かるように、粒状の装飾材４０は、下面が平坦で、且つ、上部が多面体状の立体形状、すなわち、下部４１が円板状、上部４２が裁頭六角錐状に形成されている。
【００２４】
また、図６に示すように、ベース部３１の下面に金属性の光沢を有する無数の小片３５を格子状に貼着してフォノグラム層３６を形成する。小片３５は、図７に示すように、ベース部３１の下面に格子状に、直接、貼着しても良いが、図８に示すように、フィルム状の基板３７上に格子状に貼着してフォノグラム層３６ａとし、このフォノグラム層３６ａをベース部３１の下面に貼着しても良い。
【００２５】
更に、図６に示すように、フォノグラム層３６の下面に粘着層３２を設けると共に、粘着層３２を剥離可能な剥離シート３３によって保護している。
【００２６】
（Ｃ）実施の形態３
図９に図示した本考案に係る第３の装飾シート５０は、シート状のベース部５１として、白色、有彩色又はフォオグラムからなる不透明シートを用いている。それ以外は、第１の装飾シート１０のものと構造的に変わりがないので、同じ部材に同じ符号を付けて詳しい説明を省略する。
【００２７】
ところで、例えば、本考案の第１の装飾シート１０によって携帯電話の表面を装飾する場合は、図１０のように、図示しない携帯電話の上に半透明シート７０を被せ、鉛筆などの筆記用具を用いて携帯電話の輪郭８１や液晶表示部の輪郭８２などを転写する。
【００２８】
次に、図１１のように、第１の装飾シート１０の上に携帯電話の輪郭８１などを転写した前記シート７０を重ね、携帯電話の輪郭８１や液晶表示部の輪郭８２などに合わせて装飾シート１０を裁断する。
【００２９】
そして、図１２に示すように、携帯電話の輪郭８１，８２に沿って液裁断した装飾シート１０ａを携帯電話８０の外表面に貼着する。
【図面の簡単な説明】
【００３０】
【図１】本考案に係る第１の装飾シートの平面図である。
【図２】第１の装飾シートの要部拡大平面図である。
【図３】図２のＡ−Ａ断面図である。
【図４】本考案に係る第２の装飾シートの平面図である。
【図５】第２の装飾シートの要部拡大平面図である。
【図６】図５のＢ−Ｂ断面図である。
【図７】図６のＣ−Ｃ断面図である。
【図８】フォノグラム層のその他の実施形態を示す断面図である。
【図９】本考案に係る第３の装飾シートの断面図である。
【図１０】半透明シートに携帯電話の輪郭を転写する説明図である。
【図１１】半透明シートに本考案の装飾シートを重ねた平面図である。
【図１２】携帯電話の輪郭に合わせて裁断した装飾シートを携帯電話に貼着する斜視図である。
【符号の説明】
【００３１】
１１  シート状のベース部
１２  粘着層
２０  粒状の装飾材
２２  上部
８０  被装飾体
【図１】
0003146167.tif 000003
【図２】
0003146167.tif 000004
【図３】
0003146167.tif 000005
【図４】
0003146167.tif 000006
【図５】
0003146167.tif 000007
【図６】
0003146167.tif 000008
【図７】
0003146167.tif 000009
【図８】
0003146167.tif 000010
【図９】
0003146167.tif 000011
【図１０】
0003146167.tif 000012
【図１１】
0003146167.tif 000013
【図１２】
0003146167.tif 000014